(57)【要約】【課題】  情報付与シートに付与された情報の隠蔽性を向上させる。【解決手段】  紙等からなるベース基材６０上に、２層の透明フィルム３１ａ，３１ｂが擬似接着されてなる擬似接着部３０を、透明で接着力が強い粘着剤２０ｃによって貼着し、さらに、この擬似接着部３０上に、透明フィルム４２上に示温インク４１によって地紋が印刷されてなる示温層４０を、透明で接着力が強い粘着剤２０ｂによって貼着し、示温層４０の反対側の面に透明で接着力が強い粘着剤２０ａを塗布してこの粘着剤２０ａによって剥離紙５０を剥離可能に貼着した隠蔽片２を情報記入片１に貼着する。【選択図】図２
2006347103.tif 000002
【特許請求の範囲】
【請求項１】
情報が付与される情報付与シートと、該情報付与シートに貼着されることにより当該情報付与シートに付与された情報を隠蔽する隠蔽ラベルとを有してなる情報隠蔽シート組であって、
前記隠蔽ラベルは、
剥離可能な構成を具備してベース基材上に積層された擬似接着層と、
前記擬似接着層上に積層され、該擬似接着層とは反対側の面に粘着剤が塗布された示温層とを有し、
前記粘着剤によって前記情報付与シートに貼着される情報隠蔽シート組。
【請求項２】
請求項１に記載の情報隠蔽シート組において、
前記隠蔽ラベルは、前記情報付与シートと連接していることを特徴とする情報隠蔽シート組。
【発明の詳細な説明】
【技術分野】
【０００１】
本発明は、情報が付与される情報付与シートに付与された情報を隠蔽することができる情報隠蔽シート組に関する。
【背景技術】
【０００２】
従来より、情報を記入するための情報記入領域が設けられたはがきにおいて、情報記入領域に情報を記入した後に、この情報記入領域上に隠蔽片を剥離可能に貼着し、それにより、情報記入領域に記入された情報を隠蔽可能とするものが考えられている。このようなはがきの構造としては、例えば、隠蔽片の一方の面に、層間が剥離可能に重合した透明な接合材の両面に透明な粘着剤が塗布されてなる介在シートを貼付しておき、この介在シートによって情報記入領域上に隠蔽片を剥離可能に貼着する技術が考えられている（例えば、特許文献１参照。）。
【０００３】
このはがきを用いて情報を伝達する場合は、はがきの送付先に伝達したい情報を情報記入領域に記入した後、情報記入領域上に介在シートを介して隠蔽片を剥離可能に貼着し、その状態ではがきを送付先に送付する。これにより、はがきの送付途中においては、情報記入領域に記入された情報は隠蔽片によって覆われており、外部から見られてしまうことはない。また、このはがきが送付先に送付された後、はがきの送付先において隠蔽片を剥離すると、接合材の層間が剥離し、情報記入領域に記入された情報が接合材の一方の層を介して視認可能となり、それにより、情報記入領域に記入された情報がはがきの送付元から送付先に伝達されることになる。
【特許文献１】特開平１０−２６４５５９号公報
【発明の開示】
【発明が解決しようとする課題】
【０００４】
しかしながら、上述したように、隠蔽片の一方の面に、層間が剥離可能に重合した透明な接合材の両面に透明な粘着剤が塗布されてなる介在シートを貼付しておき、この介在シートによって情報記入領域上に隠蔽片を剥離可能に貼着するものにおいては、隠蔽片が情報記入領域上に剥離可能に貼着されているだけであるため、隠蔽片を情報記入領域上から剥離すれば情報記入領域に記入された情報を誰でも見ることができてしまうという問題点がある。また、このようなことは、隠蔽片が情報記入領域上に剥離可能に貼着されていることから、隠蔽片の一部が剥離した場合にその一部がきっかけとなって隠蔽片が情報記入領域から剥離しやすくなり、非常に生じやすい問題でもある。例えば、はがきとして利用した場合、はがきの送付途中において誤ってあるいは故意に隠蔽片が剥離された場合、情報記入領域に記入された情報が知れ渡ってしまうことになる。
【０００５】
本発明は、上述したような従来の技術が有する問題点に鑑みてなされたものであって、情報が付与される情報付与シートに付与された情報の隠蔽性を向上させることができる情報隠蔽シート組を提供することを目的とする。
【課題を解決するための手段】
【０００６】
上記目的を達成するために本発明は、
情報が付与される情報付与シートと、該情報付与シートに貼着されることにより当該情報付与シートに付与された情報を隠蔽する隠蔽ラベルとを有してなる情報隠蔽シート組であって、
前記隠蔽ラベルは、
剥離可能な構成を具備してベース基材上に積層された擬似接着層と、
前記擬似接着層上に積層され、該擬似接着層とは反対側の面に粘着剤が塗布された示温層とを有し、
前記粘着剤によって前記情報付与シートに貼着される。
【０００７】
上記のように構成された本発明においては、示温層に塗布された粘着剤によって隠蔽ラベルが情報付与シートに貼着された状態においては、情報付与シートに付与された情報が隠蔽ラベルによって隠蔽されている。そして、その後、隠蔽ラベルを情報付与シートから剥離すると、剥離可能な構成を具備する擬似接着層を介して隠蔽ラベルが剥離することになる。この状態においては、擬似接着層上に積層された示温層が粘着剤によって紙片に貼着されたままとなっている。そのため、情報付与シートに付与された情報は示温層によって視認不可能となっており、その後、示温層が無色に変化する温度が付与された場合に、情報付与シートに付与された情報が示温層を介して視認可能となる。
【０００８】
また、前記隠蔽ラベルは、前記情報付与シートと連接していることを特徴とする。
【発明の効果】
【０００９】
以上説明したように本発明においては、情報が付与される情報付与シートに貼着される隠蔽ラベルが、剥離可能な構成を具備してベース基材上に積層された擬似接着層と、この擬似接着層上に積層され、擬似接着層とは反対側の面に粘着剤が塗布された示温層とを有し、擬似接着層に塗布された粘着剤によって情報付与シートに貼着される構成としたため、情報付与シートから隠蔽ラベルが剥離され、さらに、示温層が無色に変化する温度が付与されなければ、情報付与シートに付与された情報を見ることができず、それにより、情報付与シートに付与された情報の隠蔽性を向上させることができる。
【発明を実施するための最良の形態】
【００１０】
以下に、本発明の実施の形態について図面を参照して説明する。
【００１１】
（第１の実施の形態）
図１は、本発明の情報隠蔽シート組を構成する隠蔽ラベルの第１の実施の形態を示す図であり、積層構造を示す。
【００１２】
本形態は図１に示すように、紙等からなるベース基材であるラベル基材１０上に、２層の透明フィルム３１ａ，３１ｂが擬似接着されてなる擬似接着層３０が透明で接着力が強い粘着剤２０ｃによって貼着されることによって積層され、さらに、この擬似接着層３０上に、透明フィルム４２上に示温インク４１によって地紋が印刷されてなる示温層４０が透明で接着力が強い粘着剤２０ｂによって貼着されることによって積層され、示温層４０の反対側の面に透明で接着力が強い粘着剤２０ａが塗布され、この粘着剤２０ａによって剥離紙５０が剥離可能に貼着されて構成されている。擬似接着層３０は、ポリエチレンやポリエステル等の合成樹脂からなる２層の透明フィルム３１ａ，３１ｂが、透明で接着力が弱い紫外線硬化型接着剤等の粘着剤３２によって互いに剥離可能に貼着されて構成されている。これにより、ラベル基材１０と示温層４０とがこの擬似接着層３０によって剥離可能に貼着されていることになる。また、示温層４０は、ポリエチレンやポリエステル等の合成樹脂からなる透明フィルム４２の一方の面に示温インク４１によって地紋が印刷されて構成されており、示温インク４１によって地紋が印刷された面が擬似接着層３０側となるように粘着剤２０ｂによって擬似接着層３０に貼着されている。
【００１３】
ここで、示温インク４１について詳細に説明する。示温インク４１は、例えば、芯物質として電子供与性呈色染料と電子受容性顕色剤と極性有機化合物とからなる示温剤を用い、これを壁膜で被覆した構造を有する示温剤マイクロカプセルを一般的なインク用ビヒクルに配合したものであって、設定された臨界温度を境にして可逆的あるいは不可逆的に色が変化するインクである。可逆タイプのものは、温度が臨界温度を超えた場合に色が変化し、その後、温度が臨界温度よりも低くなった場合に元の色に戻る。また、不可逆タイプのものは、温度が臨界温度を超えた場合に色が変化し、その後、温度が臨界温度よりも低くなっても元の色には戻らない。本形態における示温インク４１は、上述した可逆タイプのものでも不可逆タイプのものでも構わないが、色が変化する臨界温度が、指で触った時のような低い温度ではなく、かなりの高温となるものを用いる。また、臨界温度よりも低い温度においては黒色等の濃色であって、臨界温度よりも高い温度においては無色となる。また、その構成としては、例えば、コレステリック系液晶、スピラン系化合物、金属塩化合物等の示温材料を示温顔料とし、固相反応、熱分解、脱水、電子供与体受容体の電子授受、結晶構造の変化等を利用してその色が変化する。
【００１４】
以下に、上述した隠蔽ラベルの使用方法について説明する。
【００１５】
図２は、図１に示した隠蔽ラベルを用いた情報隠蔽シート組となる隠蔽はがきの一例を示す図であり、（ａ）は表面から見た図、（ｂ）は（ａ）に示したＡ−Ａ’断面図である。
【００１６】
本例は図２に示すように、情報記入領域１ａが設けられた情報付与シートである情報記入片１と、ミシン目３を介して情報記入片１に折り畳み及び切り離し可能に連接し、情報記入片１に貼着されることにより情報記入領域１ａに記入された情報を隠蔽する隠蔽片２とから構成されている。情報記入片１は、ベース基材６０のミシン目３を介して折り畳まれた場合に隠蔽片２と対向する面の一部に、情報を記入するための情報記入領域１ａが設けられている。また、隠蔽片２は、図１に示した隠蔽ラベルであって、ラベル基材１０の代わりとなるベース基材６０上に、２層の透明フィルム３１ａ，３１ｂを有してなる擬似接着層３０が粘着剤２０ｃによって貼着され、さらに、この擬似接着層３０上に、透明フィルム４２上に示温インク４１によって地紋が印刷されてなる示温層４０が粘着剤２０ｂによって貼着され、示温層４０の反対側の面に粘着剤２０ａが塗布されてこの粘着剤２０ａによって剥離紙５０が剥離可能に貼着されている。
【００１７】
以下に、上記のように構成された隠蔽はがきの使用方法について説明する。
【００１８】
まず、情報記入片１に設けられた情報記入領域１ａに、隠蔽すべき情報を印字あるいは記入した後、隠蔽片２上の示温層４０に粘着剤２０ａによって貼着された剥離紙５０を剥離し、情報記入片１と隠蔽片２とを、情報記入領域１ａが内面となるようにミシン目３を介して折り畳み、示温層４０に塗布された粘着剤２０ａによって互いに貼着する。このように情報記入領域１ａに情報を印字あるいは記入することにより、紙片となる情報記入片１に情報を付与することになる。
【００１９】
図３は、図２に示した情報記入片１と隠蔽片２とが貼着された状態を示す図であり、（ａ）は隠蔽片２側から見た図、（ｂ）は（ａ）に示したＡ−Ａ’断面図である。
【００２０】
図３に示すように、図２に示した隠蔽はがきの情報記入片１と隠蔽片２とが貼着された状態においては、情報記入領域１ａに記入あるいは印字された情報は、隠蔽片２によって覆われているため、外部から視認不可能となる。
【００２１】
次に、互いに貼着された情報記入片１と隠蔽片２とを剥離する。
【００２２】
図４は、図２に示した情報記入片１と隠蔽片２とが貼着された後に剥離された状態を示す図であり、（ａ）は貼着されていた面を示す図であり、（ｂ）は（ａ）に示したＡ−Ａ’断面図である。
【００２３】
情報記入片１から隠蔽片２を剥離すると、粘着剤２０ａ〜２０ｃの接着力が強く、また、擬似接着層３０を構成する２層の透明フィルム３１ａ，３１ｂが接着力が弱い粘着剤３２によって擬似接着されているため、図４に示すように、透明フィルム３１ａと透明フィルム３１ｂとが粘着剤３２を介して剥離し、それにより、示温層４０と透明フィルム３１ｂが粘着剤２０ａによって情報記入片１に残存し、また、透明フィルム３１ａが粘着剤２０ｃによって隠蔽片２とともに情報記入片１から剥離される。この際、粘着剤２０ｂ及び透明フィルム３１ｂが透明な材料から構成されているため、情報記入片１においては、透明フィルム４２上に示温インク４１によって印刷された地紋が視認可能となる。また、この地紋によって、情報記入領域１ａに印字あるいは記入された情報が視認不可能な状態となっている。
【００２４】
このように示温層４０が情報記入片１に貼着された後、ミシン目３を介して情報記入片１と隠蔽片２とを切り離し、情報記入領域１ａに記入あるいは印字された情報の伝達先に、この情報記入片１を送付することになる。この状態においては、情報記入領域１ａに印字あるいは記入された情報が示温層４０によって隠蔽されているため、情報記入片１の送付途中において、情報記入領域１ａに記入された情報が見られてしまうことはない。またこの際、示温層４０を構成する示温インクが、上述したようにその色が変化する臨界温度が、指で触った時のような低い温度ではなく、かなりの高温となるものであるため、指で触った程度では色が変化して無色となって情報記入領域１ａに記入された情報が見られてしまうことはない。なお、情報記入片１の情報記入領域１ａの裏面には、情報記入領域１ａに記入あるいは印字された情報の伝達先の住所や名称等といった宛先情報が印字あるいは記入されており、その宛先情報にしたがって情報記入片１が送付されることになる。
【００２５】
その後、この情報記入片１が送付先にて受け取られ、情報記入片１が、示温インク４１の色が変化する臨界温度を超える温度の雰囲気に晒されると、示温インク４１の色が無色に変化する。
【００２６】
図５は、図２に示した情報記入片１に示温層４０が貼着された状態で、情報記入片１が示温インク４１の臨界温度の雰囲気に晒された状態を示す図である。
【００２７】
情報記入片１の送付先にて受け取られた情報記入片１が、示温インク４１の色が変化する臨界温度を超える温度の雰囲気に晒されると、示温インク４１の色が無色に変化し、また、粘着剤２０ａ，２０ｂ及び透明フィルム３１ｂ，４２が透明な材料から構成されているため、情報記入領域１ａに印字あるいは記入された情報４が視認可能な状態となる。
【００２８】
このように視認可能な状態となった情報４は、情報記入片１が、示温インク４１の色が変化する臨界温度を超える温度の雰囲気に晒されている状態でスキャナやバーコードリーダー等の読取装置にて読み取られることになる。
【００２９】
これにより、情報記入片１の送付先に、情報記入領域１ａに記入された情報４を通知しながらも、情報記入片１の送付途中において、情報記入領域１ａに記入された情報が見られてしまうことを防止することができる。
【００３０】
なお、本形態においては、透明フィルム４２の一方の面に示温インク４１によって地紋が印刷されることにより示温層４０が構成されているが、擬似接着層３０を構成する２層の透明フィルム３１ａ，３１ｂのうち、示温層４０側となる透明フィルム３１ｂ上に示温インク４１によって地紋を印刷する構成とすることも考えられる。その場合、示温層４０を構成する透明フィルム４２を設ける必要がなくなる。
【００３１】
（第２の実施の形態）
図６は、本発明の情報隠蔽シート組を構成する隠蔽ラベルの第２の実施の形態を示す図であり、積層構造を示す。
【００３２】
本形態は図６に示すように、紙等からなるベース基材であるラベル基材１１０上に、目止層１３１、剥離層１３２及びニス層１３３からなる擬似接着層１３０が積層され、さらに、この擬似接着層１３０上に、透明フィルム１４２上に示温インク１４１によって地紋が印刷されてなる示温層１４０が透明で接着力が強い粘着剤１２０ｂによって貼着されることによって積層され、示温層１４０の反対側の面に透明で接着力が強い粘着剤１２０ａが塗布され、この粘着剤１２０ａによって剥離紙１５０が剥離可能に貼着されて構成されている。擬似接着層１３０は、示温層１４０の粘着剤１２０ｂが塗布された面上にニスが塗布されることにより形成されたニス層１３３と、このニス層１３３上に剥離剤が塗布されることにより形成された剥離層１３２と、この剥離層１３２上に目止剤が塗布されることにより形成され、剥離層１３２とラベル基材１１０とを接着するための目止層１３１とから構成されており、剥離層１３２とニス層１３３との境界面にて剥離可能となっている。これにより、ラベル基材１１０と示温層１４０とがこの擬似接着層１３０によって剥離可能に貼着されていることになる。また、示温層４０は、ポリエチレンやポリエステル等の合成樹脂からなる透明フィルム１４２の一方の面に示温インク１４１によって地紋が印刷されて構成されており、示温インク１４１によって地紋が印刷された面が擬似接着層１３０側となるように粘着剤１２０ｂによって擬似接着層１３０に貼着されている。なお、示温インク１４１については、第１の実施の形態にて説明したようなものが用いられる。
【００３３】
以下に、上述した隠蔽ラベルの使用方法について説明する。
【００３４】
図７は、図６に示した隠蔽ラベルを用いた情報隠蔽シート組となる隠蔽はがきの一例を示す図であり、（ａ）は表面から見た図、（ｂ）は（ａ）に示したＡ−Ａ’断面図である。
【００３５】
本例は図７に示すように、情報記入領域１０１ａが設けられた情報付与シートである情報記入片１０１と、ミシン目１０３を介して情報記入片１０１に折り畳み及び切り離し可能に連接し、情報記入片１０１に貼着されることにより情報記入領域１０１ａに記入された情報を隠蔽する隠蔽片１０２とから構成されている。情報記入片１０１は、ベース基材１６０のミシン目１０３を介して折り畳まれた場合に隠蔽片１０２と対向する面の一部に、情報を記入するための情報記入領域１０１ａが設けられている。また、隠蔽片１０２は、図６に示した隠蔽ラベルであって、ラベル基材１１０の代わりとなるベース基材１６０上に、目止層１３１、剥離層１３２及びニス層１３３からなる擬似接着層１３０が積層され、さらに、この擬似接着層１３０上に、透明フィルム１４２上に示温インク１４１によって地紋が印刷されてなる示温層１４０が粘着剤１２０ｂによって貼着され、示温層１４０の反対側の面に粘着剤１２０ａが塗布されてこの粘着剤１２０ａによって剥離紙１５０が剥離可能に貼着されている。
【００３６】
以下に、上記のように構成された隠蔽はがきの使用方法について説明する。
【００３７】
まず、情報記入片１０１に設けられた情報記入領域１０１ａに、隠蔽すべき情報を印字あるいは記入した後、隠蔽片１０２上の示温層１４０に粘着剤１２０ａによって貼着された剥離紙１５０を剥離し、情報記入片１０１と隠蔽片１０２とを、情報記入領域１０１ａが内面となるようにミシン目１０３を介して折り畳み、示温層１４０に塗布された粘着剤１２０ａによって互いに貼着する。このように情報記入領域１０１ａに情報を印字あるいは記入することにより、紙片となる情報記入片１０１に情報を付与することになる。
【００３８】
図８は、図７に示した情報記入片１０１と隠蔽片１０２とが貼着された状態を示す図であり、（ａ）は隠蔽片１０２側から見た図、（ｂ）は（ａ）に示したＡ−Ａ’断面図である。
【００３９】
図８に示すように、図７に示した隠蔽はがきの情報記入片１０１と隠蔽片１０２とが貼着された状態においては、情報記入領域１０１ａに記入あるいは印字された情報は、隠蔽片１０２によって覆われているため、外部から視認不可能となる。
【００４０】
次に、互いに貼着された情報記入片１０１と隠蔽片１０２とを剥離する。
【００４１】
図９は、図７に示した情報記入片１０１と隠蔽片１０２とが貼着された後に剥離された状態を示す図であり、（ａ）は貼着されていた面を示す図であり、（ｂ）は（ａ）に示したＡ−Ａ’断面図である。
【００４２】
情報記入片１０１から隠蔽片１０２を剥離すると、粘着剤１２０ａ，１２０ｂの接着力が強く、また、擬似接着層１３０が、剥離層１３２とニス層１３３との境界面にて剥離可能な擬似接着構造であるため、図９に示すように、剥離層１３２とニス層１３３との境界面にて剥離し、それにより、示温層１４０とニス層１３３が粘着剤１２０ａによって情報記入片１０１に残存し、また、目止層１３１及び剥離層１３２が隠蔽片１０２とともに情報記入片１０１から剥離される。この際、粘着剤１２０ｂ及びニス層１３３が透明な材料から構成されているため、情報記入片１０１においては、透明フィルム１４２上に示温インク１４１によって印刷された地紋が視認可能となる。また、この地紋によって、情報記入領域１０１ａに印字あるいは記入された情報が視認不可能な状態となっている。
【００４３】
このように示温層１４０が情報記入片１０１に貼着された後、ミシン目１０３を介して情報記入片１０１と隠蔽片１０２とを切り離し、情報記入領域１０１ａに記入あるいは印字された情報の伝達先に、この情報記入片１０１を送付することになる。この状態においては、情報記入領域１０１ａに印字あるいは記入された情報が示温層１４０によって隠蔽されているため、情報記入片１０１の送付途中において、情報記入領域１０１ａに記入された情報が見られてしまうことはない。またこの際、示温層１４０を構成する示温インクが、第１の実施の形態にて示したものと同様に、その色が変化する臨界温度が、指で触った時のような低い温度ではなく、かなりの高温となるものであるため、指で触った程度では色が変化して無色となって情報記入領域１０１ａに記入された情報が見られてしまうことはない。なお、情報記入片１０１の情報記入領域１０１ａの裏面には、情報記入領域１０１ａに記入あるいは印字された情報の伝達先の住所や名称等といった宛先情報が印字あるいは記入されており、その宛先情報にしたがって情報記入片１０１が送付されることになる。
【００４４】
その後、この情報記入片１０１が送付先にて受け取られ、情報記入片１０１が、示温インク１４１の色が変化する臨界温度を超える温度の雰囲気に晒されると、示温インク１４１の色が無色に変化する。
【００４５】
図１０は、図７に示した情報記入片１０１に示温層１４０が貼着された状態で、情報記入片１０１が示温インク１４１の臨界温度の雰囲気に晒された状態を示す図である。
【００４６】
情報記入片１０１の送付先にて受け取られた情報記入片１０１が、示温インク１４１の色が変化する臨界温度を超える温度の雰囲気に晒されると、示温インク１４１の色が無色に変化し、また、粘着剤１２０ａ，１２０ｂ、透明フィルム１４２及びニス層１３３が透明な材料から構成されているため、情報記入領域１０１ａに印字あるいは記入された情報１０４が視認可能な状態となる。
【００４７】
このように視認可能な状態となった情報１０４は、情報記入片１０１が、示温インク１４１の色が変化する臨界温度を超える温度の雰囲気に晒されている状態でスキャナやバーコードリーダー等の読取装置にて読み取られることになる。
【００４８】
これにより、情報記入片１０１の送付先に、情報記入領域１０１ａに記入された情報１０４を通知しながらも、情報記入片１０１の送付途中において、情報記入領域１０１ａに記入された情報が見られてしまうことを防止することができる。
【００４９】
なお、上述した２つの実施の形態においては、透明フィルム４２，１４２上に示温インク４１，１４１によって地紋が印刷されているが、本発明における透明フィルム４２，１４２上への示温インク４１，１４１の付与方法はこれに限らず、透明フィルム４２，１４２上の全面に示温インク４１，１４１を塗工する等、情報記入片１，１０１に示温層４０，１４０が貼着された状態において、情報記入領域１ａ，１０１ａに印字あるいは記入された情報が示温層４０，１４０を介して視認不可能となるような方法であればよい。
【００５０】
また、上述した２つの実施の形態においては、情報記入片１，１０１と隠蔽片２，１０２とがミシン目３，１０３を介して連接しているが、本発明は、情報記入片１，１０１と隠蔽片２，１０２とが連接していない構成であってもよい。
【図面の簡単な説明】
【００５１】
【図１】本発明の情報隠蔽シート組を構成する隠蔽ラベルの第１の実施の形態を示す図である。
【図２】図１に示した隠蔽ラベルを用いた情報隠蔽シート組となる隠蔽はがきの一例を示す図であり、（ａ）は表面から見た図、（ｂ）は（ａ）に示したＡ−Ａ’断面図である。
【図３】図２に示した情報記入片と隠蔽片とが貼着された状態を示す図であり、（ａ）は隠蔽片側から見た図、（ｂ）は（ａ）に示したＡ−Ａ’断面図である。
【図４】図２に示した情報記入片と隠蔽片とが貼着された後に剥離された状態を示す図であり、（ａ）は貼着されていた面を示す図であり、（ｂ）は（ａ）に示したＡ−Ａ’断面図である。
【図５】図２に示した情報記入片に示温層が貼着された状態で、情報記入片が示温インクの臨界温度の雰囲気に晒された状態を示す図である。
【図６】本発明の情報隠蔽シート組を構成する隠蔽ラベルの第２の実施の形態を示す図である。
【図７】図６に示した隠蔽ラベルを用いた情報隠蔽シート組となる隠蔽はがきの一例を示す図であり、（ａ）は表面から見た図、（ｂ）は（ａ）に示したＡ−Ａ’断面図である。
【図８】図７に示した情報記入片と隠蔽片とが貼着された状態を示す図であり、（ａ）は隠蔽片側から見た図、（ｂ）は（ａ）に示したＡ−Ａ’断面図である。
【図９】図７に示した情報記入片と隠蔽片とが貼着された後に剥離された状態を示す図であり、（ａ）は貼着されていた面を示す図であり、（ｂ）は（ａ）に示したＡ−Ａ’断面図である。
【図１０】図７に示した情報記入片に示温層が貼着された状態で、情報記入片が示温インクの臨界温度の雰囲気に晒された状態を示す図である。
【符号の説明】
【００５２】
１，１０１    情報記入片
１ａ，１０１ａ    情報記入領域
２，１０２    隠蔽片
３，１０３    ミシン目
４，１０４    情報
１０，１１０    ラベル基材
２０ａ〜２０ｃ，３２，１２０ａ，１２０ｂ    粘着剤
３０，１３０    擬似接着層
３１ａ，３１ｂ，４２，１４２    透明フィルム
４０，１４０    示温層
４１，１４１    示温インク
５０，１５０    剥離紙
６０，１６０    ベース基材
１３１    目止層
１３２    剥離層
１３３    ニス層
【図１】
2006347103.tif 000003
【図２】
2006347103.tif 000004
【図３】
2006347103.tif 000005
【図４】
2006347103.tif 000006
【図５】
2006347103.tif 000007
【図６】
2006347103.tif 000008
【図７】
2006347103.tif 000009
【図８】
2006347103.tif 000010
【図９】
2006347103.tif 000011
【図１０】
2006347103.tif 000012